(57)【要約】【課題】ドアを開けたときにカラオケルーム内の音を外部に洩らさないようにした。【解決手段】カラオケルーム２用の消音システム１は、カラオケルーム２のドア２１の開閉を検知するドア開閉検知手段３と、ドア開閉検知手段３によってドア２１の開閉信号が検知されたときに、スピーカ１２の音を所定の大きさになるように制御する信号制御装置４とを備えている。ドア開閉検知手段３は、カラオケルーム２のルーム壁面２２に設けられた検知センサ３１と、ドア２１に設けられ、ドア２１が閉じた状態で検知センサ３１によって検知可能に設けられた被検知部３２とからなる。信号制御装置４は、ドア２１が開いたときのＯＦＦ信号を受信したときに、スピーカ１２の音を低減、または停止させるように構成されている。【選択図】図１
0003139745.tif 000002
【実用新案登録請求の範囲】
【請求項１】
カラオケルームのドアの開閉を検知するドア開閉検知手段と、
前記ドア開閉検知手段によって前記ドアの開閉信号が検知されたときに、前記カラオケルーム内のスピーカの音を所定の大きさになるように制御する信号処理手段と、
を備え、
前記信号処理手段は、前記ドアが開いたときの開信号を受信したときに、前記スピーカの音を低減、または停止させるように構成されていることを特徴とするカラオケルーム用の消音システム。
【請求項２】
前記信号処理手段は、前記ドアが閉じたときの閉信号を受信したときに、前記スピーカの音量を前記ドアを開ける前の音量に戻すように構成されていることを特徴とする請求項１に記載のカラオケルーム用の消音システム。
【請求項３】
前記ドア開閉検知手段は、
前記ドアに設けられた被検知部と、
前記カラオケルームのルーム壁面に設けられるとともに、前記ドアが閉じた状態で前記被検知部を検知する検知センサと、
からなることを特徴とする請求項１又は２に記載のカラオケルーム用の消音システム。
【考案の詳細な説明】
【技術分野】
【０００１】
本考案は、歌って楽しむカラオケルームに関し、特に、一人で使用するカラオケルームなどに適用されるカラオケルーム用の消音システムに関する。
【背景技術】
【０００２】
従来、カラオケルームは、照明設備や音響設備や映像設備などが備えられた個室内だけでカラオケを楽しむことができるように構成され、利用者の人数に合わせた大きさの個室が、通路などの共用スペースに隣接して複数設けられているのが一般的である。そして、このようなカラオケルームでは、カラオケ音がカラオケルームの外に洩れないように、壁面、床面、天井の壁厚を大きくしたり、防音材を使用することは勿論、ドアのガラスも二重にする等の防音対策がとられている（例えば、特許文献１参照）。
【特許文献１】特開平５−５０８７８号公報
【考案の開示】
【考案が解決しようとする課題】
【０００３】
しかしながら、従来のカラオケルームでは、以下のような問題があった。
すなわち、カラオケルームのドアを閉じている場合には、外部への音の洩れが防止されているが、ドアを開閉する際には、開けた隙間から内部の演奏音や歌声が通路などの共用スペースに洩れ出すという欠点があり、例えばその通路に通じる待合室などに居る第三者の顧客に不快感を与えてしまうといった課題があり、その点で改良の余地があった。
【０００４】
そこで、本考案は、このような従来の事情に鑑みて提案されたものであり、ドアを開けたときにカラオケルーム内の音を外部に洩らさないようにしたカラオケルーム用の消音システムを提供することを目的とする。
【課題を解決するための手段】
【０００５】
この目的を達成するために、カラオケルームのドアの開閉を検知するドア開閉検知手段と、ドア開閉検知手段によってドアの開閉信号が検知されたときに、カラオケルーム内のスピーカの音を所定の大きさになるように制御する信号処理手段とを備え、信号処理手段は、ドアが開いたときの開信号を受信したときに、スピーカの音を低減、または停止させるように構成されていることを特徴としている。
【０００６】
本考案では、カラオケルームにおいて、カラオケ中の合間にドアを開けると、ドア開閉検知手段によって開信号が検知され、信号処理手段で前記開信号を受信するとともに、スピーカの音量（出力）が制御され、スピーカの音が低減、または停止されることになる。このように、カラオケルームのドアが開いたときに自動的にスピーカの音を低減、または停止させることができるので、ドアが開いているときにカラオケルームの外部に音が洩れるといった不具合をなくすことができる。そのため、本消音システムでは、とくに、ドアの開閉時にスピーカの音が低減、または停止することでカラオケを中断することが可能とされる一人用のカラオケルームや、一人でカラオケルームを使用する場合などに適用することができる。
【０００７】
また、本考案に係るカラオケルーム用の消音システムでは、信号処理手段は、ドアが閉じたときの閉信号を受信したときに、スピーカの音量をドアを開ける前の音量に戻すように構成されていることが好ましい。
【０００８】
本考案では、開けた状態のドアを閉めると、ドア開閉検知手段によって閉信号が検知され、信号処理手段で前記閉信号を受信するとともに、スピーカの音量（出力）が制御され、ドアが開いているときに低減、または停止されていたスピーカの音量を元の音量（ドアを開ける前の音量）に戻すことができる。
【０００９】
また、本考案に係るカラオケルーム用の消音システムでは、ドア開閉検知手段は、ドアに設けられた被検知部と、カラオケルームのルーム壁面に設けられるとともに、ドアが閉じた状態で被検知部を検知する検知センサとからなることが好ましい。
【００１０】
本考案では、検知センサは、常時、ドアの開閉状態を監視した状態とされ、ドアが閉じた状態のときには被検知部を検知した開信号を信号処理手段に送信し、ドアが開いた状態のときには被検知部を検知しない閉信号を信号処理手段に送信することができる。そのため、信号処理手段は、ドアが開いたときの開信号を受信したときに、スピーカの音を低減、または停止させることができ、ドアが開いているときにカラオケルーム内の音が外部に洩れることをなくすことができる。
【考案の効果】
【００１１】
以上のように、本考案に係るカラオケルーム用の消音システムでは、ドアが開いたときに自動的にカラオケルーム内の音を低減、または停止させることができることから、外部に音が洩れてカラオケルームの外にいる人に不快感を与えるといった不具合をなくし、顧客に対するサービスの向上を図ることができる。
【考案を実施するための最良の形態】
【００１２】
以下、本考案を適用したカラオケルーム用の消音システムの実施の形態について、図１及び図２を参照して詳細に説明する。
図１は、本考案を適用した実施の形態によるカラオケルーム用の消音システムの概略構成を示す図、図２は消音システムの動作フローを示す図である。
【００１３】
図１の符号２は、カラオケ施設内において通路などの共用スペースに隣接して設けられている一人用のカラオケルームの一例を示したものである。そして、本実施の形態による消音システム１は、ドア２１の開閉状態によってカラオケルーム２内のスピーカの音を増減する制御を行う構成となっている。
【００１４】
以下、消音システム１の構成についてさらに具体的に説明する。
図１に示すように、カラオケルーム２には、複数人が利用する周知のカラオケルームと同様、カラオケコントローラ１０と、パワーアンプ１１と、複数台（本実施の形態では二つ）のスピーカ１２（１２Ａ、１２Ｂ）と、各スピーカ１２に対応するアッテネータ１３、１３とからなる音響設備が備えられている。つまり、カラオケコントローラ１０は、パワーアンプ１１、及びアッテネータ１３、１３を介してスピーカ１２Ａ、１２Ｂに接続され、演奏音制御及び音声制御が行われるようになっている。
なお、カラオケコントローラ１０は、モニタ（図示省略）などの映像設備や照明設備にも接続され、音とともに映像制御、照明制御も行えるようになっているが、ここでは詳しい説明は省略する。
【００１５】
そして、消音システム１は、カラオケルーム２のドア２１の開閉を検知するドア開閉検知手段３と、ドア開閉検知手段３によってドア２１の開閉信号（Ｐ１、Ｐ２）が検知されたときにカラオケルーム２内のスピーカ１２Ａ、１２Ｂの音を所定の大きさになるように制御する信号制御装置４（信号処理手段）とを備えている。
【００１６】
図１に示すように、具体的にドア開閉検知手段３は、カラオケルーム２のルーム壁面２２に設けられた検知センサ３１と、ドア２１に設けられるとともに、ドア２１が閉じた状態で検知センサ３１によって検知可能に設けられた被検知部３２とからなる。本実施の形態では、被検知部３２は金属片とされ、検知センサ３１として、金属などを検出する近接スイッチが用いられている。そして、検知センサ３１は、常時、ドア２１の開閉状態を監視した状態とされ、ドア２１が閉じた状態のときには被検知部３２を検知してＯＮ信号Ｐ１（閉信号）を信号制御装置４に送信し、ドア２１が開いた状態のときには被検知部３２を検知しないＯＦＦ信号Ｐ２（開信号）を信号制御装置４に送信するように構成されている。
【００１７】
信号制御装置４は、パワーアンプ１１とアッテネータ１３との間に介装され、上述した検知センサ３１の開閉信号に基づいて、アッテネータ１３、１３を介してスピーカ１２Ａ、１２Ｂの出力を増減させる構成となっている。そして、信号制御装置４では、上述した検知センサ３１のＯＦＦ信号Ｐ２を受信した場合においてスピーカ１２Ａ、１２Ｂの音を低減、または停止させ、ＯＮ信号Ｐ１を受信した場合においてスピーカ１２Ａ、１２Ｂの音量を元の音音量（ドア２１を開く前の音量）に戻すように制御するようになっている。
【００１８】
次に、このように構成される一人用のカラオケルーム２における消音システム１の動作フローについて、図２などに基づいて説明する。
図１及び図２に示すように、カラオケルーム２におけるカラオケ中の合間において、図１に示す二点鎖線のように、ドア２１を開くと、ドア２１側の被検知部３２がルーム壁面２２側に設けた検知センサ３１から離れ（ステップＳ１）、検知センサ３１によってＯＦＦ信号Ｐ２が検知される（ステップＳ２）。そして、信号制御装置４でＯＦＦ信号Ｐ２を受信し、スピーカ１２Ａ、１２Ｂの音量（出力）が制御され（ステップＳ３）、スピーカ１２Ａ、１２Ｂの音が低減、または停止する（ステップＳ４）。
【００１９】
上述したステップＳ４に続いて、ステップＳ５でドア２１を閉めると、検知センサ３１によってＯＮ信号Ｐ１が検知される（ステップＳ６）。そして、信号制御装置４でＯＮ信号Ｐ１を受信し、スピーカ１２Ａ、１２Ｂの音量（出力）が制御され（ステップＳ７）、スピーカ１２Ａ、１２Ｂの音量が元の音量（ドア２１を開く前の音量）に戻されることになる（ステップＳ８）。
【００２０】
このように、本消音システム１では、カラオケルーム２のドア２１が開いたときに自動的にスピーカ１２Ａ、１２Ｂの音を低減、または停止させることができるので、ドア２１を開けたときにカラオケルーム２の外部に音が洩れるといった不具合をなくすことができる。そのため、本消音システム１では、とくに、ドア２１の開閉時にスピーカ１２Ａ、１２Ｂの音が低減、または停止することでカラオケを中断することが可能とされる本実施の形態のような一人用のカラオケルーム２に適用することができる。
【００２１】
上述した本実施の形態によるカラオケルーム用の消音システムでは、ドア２１が開いたときに自動的にカラオケルーム２内の音を低減、または停止させることができることから、外部に音が洩れてカラオケルーム２の外にいる人に不快感を与えるといった不具合をなくし、顧客に対するサービスの向上を図ることができる。
【００２２】
以上、本考案によるカラオケルーム用の消音システムの実施の形態について説明したが、本考案は上記の実施の形態に限定されるものではなく、その趣旨を逸脱しない範囲で適宜変更可能である。
例えば、本実施の形態ではドア開閉検知手段３の検知センサ３１として近接スイッチを使用し、被検知部３２として金属片を採用した構成としているが、このような形態に制限されることはなく、他の形態としてもよい。例えば、反射型の光電スイッチ（検知センサ）と反射板（被検知部）との組み合わせによるドア開閉検知手段を採用するようにしてもかまわない。或いは、接触式のリミットスイッチを検知センサとし、閉じた状態のドア２１にスイッチを接触させてＯＮ状態とし、ドア２１を開いたときにスイッチが非接触状態となる構成のドア開閉検知手段とすることもできる。
さらに、本実施の形態の検知センサ３１及び被検知部３２の取付け位置は、とくに限定されることはなく、ドアの形状などに合わせて任意の位置に設定することができる。
【００２３】
さらに、本実施の形態ではドア２１を閉じたときのＯＮ信号Ｐ１（閉信号）を検知センサ３１で検知したときに、信号制御装置４でそのＯＮ信号Ｐ１を受信するとともに、スピーカ１２の音量（出力）が制御され、ドア２１が開いているときに低減、または停止されていたスピーカ１２の音量をドア２１を開ける前の音量に戻すようにしているが、このようなドア２１を閉じたときの制御を行わない構成であってもよい。例えば、ドア２１を閉じてから任意の時間後に、手動で任意の音量に設定するような構成としてもよい。
【００２４】
そして、本実施の形態では一人用のカラオケルーム２に消音システム１を適用しているが、一人用のカラオケルームであることに限定されることはなく、一人でカラオケルームを使用する場合、或いは、条件によっては複数人が利用するカラオケルームに本消音システム１を適用してもかまわない。
また、カラオケ施設、すなわちカラオケルームの大きさ、広さ、カラオケコントローラ１０、パワーアンプ１１、スピーカ１２、アッテネータ１３の数量、配置などの構成は、とくに制限されることはなく、使用目的などに応じて任意に設定することができる。
【図面の簡単な説明】
【００２５】
【図１】本考案を適用した実施の形態によるカラオケルーム用の消音システムの概略構成を示す図である。
【図２】消音システムの動作フローを示す図である。
【符号の説明】
【００２６】
１  消音システム
２  カラオケルーム
２１  ドア
２２  ルーム壁面
３  ドア開閉検知手段
３１  検知センサ
３２  被検知部
４  信号制御装置（信号処理手段）
１０  カラオケコントローラ
１２、１２Ａ、１２Ｂ  スピーカ
１３  アッテネータ
Ｐ１  ＯＮ信号（閉信号）
Ｐ２  ＯＦＦ信号（開信号）
【図１】
0003139745.tif 000003
【図２】
0003139745.tif 000004